(57)【要約】【課題】コストやサイズを増加させることなく、原稿圧着板の加速落下による衝撃を確実かつ安定して緩和することができ、精密機器に対する影響を軽減することができる原稿圧着板の開閉装置を提供する。【解決手段】上部が開口したヒンジケースと、ヒンジケースの上部に取り付けられ、原稿圧着板を取り付ける回動アームと、回動アームの下側に設けられるカム部材と、ヒンジケース内にスライド自在に収められるスライダーと、スライダーの上面をカム部材に弾性的に当接せしめる圧縮スプリングから成り、ヒンジケースの側壁の内面にスライダーが下方にスライドすると圧入力が増加する手段を形成する。【選択図】        図４
2010128251.tif 000002
【特許請求の範囲】
【請求項１】
複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、上記ヒンジケースの側壁の内面に、および／または該ヒンジケースの内面と接する、上記スライダーの外面に、上記スライダーが下方にスライドすると圧入力が増加する手段を形成したことを特徴とする原稿圧着板の開閉装置。
【請求項２】
上記圧入力が増加する手段が、リブや突起であることを特徴とする請求項１に記載の原稿圧着板の開閉装置。
【発明の詳細な説明】
【技術分野】
【０００１】
本発明は、複写機、ファクシミリ、スキャナ、プリンタ或いはそれらの複合機における原稿圧着板の開閉装置に関するものである。
【背景技術】
【０００２】
従来の原稿圧着板の開閉装置としては、複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから構成されるものがある。（例えば、特許文献１参照）
【０００３】
しかしながら、上記従来の原稿圧着板の開閉装置は、回動アームに取り付けた原稿圧着板を閉じる際に、これが低角度（約３０度以下）になると、その重量の垂直下方向ベクトルが急激に大きくなって、落下加速度が増加し、複写機等の精密機器に大きな衝撃を与えてしまうという問題点があった。
【０００４】
特に、上記開閉装置などのような軽量で小型のヒンジでは、ダンパー等の衝撃緩和装置を取り付けるとコストが高くなるだけでなく、装置が大型になってしまう等の問題があった。
【特許文献１】特開２００７−１８６８８４号公報
【発明の開示】
【発明が解決しようとする課題】
【０００５】
本発明が解決しようとする課題は、コストやサイズを増加させることなく、原稿圧着板の加速落下による衝撃を確実かつ安定して緩和することができ、精密機器に対する影響を軽減することができる原稿圧着板の開閉装置を提供することにある。
【課題を解決するための手段】
【０００６】
本発明の原稿圧着板の開閉装置は、複写機等の機器本体に取り付けられると共に上部が開口したヒンジケースと、該ヒンジケースの上部に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、上記ヒンジケースの側壁の内面に、および／または該ヒンジケースの内面と接する、上記スライダーの外面に、上記スライダーが下方にスライドすると圧入力が増加する手段を形成したことを特徴とする。また、上記圧入力が増加する手段が、リブや突起であることを特徴とする。
【発明の効果】
【０００７】
本発明の原稿圧着板の開閉装置は、コストやサイズを増加させることなく、原稿圧着板の加速落下による衝撃を確実かつ安定して緩和することができ、精密機器に対する影響を軽減することができるという利点がある。
【発明を実施するための最良の形態】
【０００８】
図１および図２は、本発明装置の１実施例を示すもので、１は、複写機等の機器本体（図示せず）に取り付けられるヒンジケース、２は回動アーム、３はカム部材、４はヒンジピン、５はスライダー、６は圧縮スプリングである。
【０００９】
上記ヒンジケース１は、図３に示すように、底壁１ａと４面の側壁１ｂから構成されると共に、上部が開口している。該４つの側壁２ｂは、２対の相対する平面となっている。そのうち、少なくとも１対（相対する２面）の側壁１ｂの上部には、ヒンジピン用挿通孔１ｃが穿設されている。
【００１０】
上記回動アーム２は、その上面に原稿圧着板を一体的に取り付けるようになっており、その回動基部には、ヒンジピン用挿通孔２ａが穿設されていると共に、その下側にはカム部材３が設けられている。
【００１１】
上記ヒンジピン４は、上記ヒンジケース１のヒンジピン用挿通孔１ｃおよび上記回動アーム２のヒンジピン用挿通孔２ａに挿通され、該回動アーム２を上記ヒンジケース１に回動自在に組み付けるようになっている。
【００１２】
上記スライダー５は、上記ヒンジケース１の側壁１ｂの内面に沿ってスライド自在に収められるようになっていて、その上面は、上記回動アーム２のカム部材３のカム面に当接するようになっている。
【００１３】
上記圧縮スプリング６は、上記ヒンジケース１の底壁１ａと上記スライダー５との間に収められていて、該スライダー５を上記カム部材３に弾性的に当接せしめるようになっている。
【００１４】
従って、上記回動アーム２に取り付けられた原稿圧着板は、上記圧縮スプリング６の弾発力により、上記スライダー５およびカム部材３等を介して、開く方向に付勢されている。
【００１５】
上記ヒンジケース１の側壁１ｂの内面には、上記スライダー５が下方にスライドすると圧入力が増加するように、下方に狭まるようにテーパー内面１ｂ′（相対する２面が対称的に傾斜）が形成されている。このテーパー内面１ｂ′は、相対する側壁１ｂの一方の側壁１ｂだけ傾斜面としてもよい。本発明では、この傾斜面もテーパー面に含まれる。
【００１６】
従って、回動アーム２に取り付けた原稿圧着板を閉じる際に、図４に示すように、回動アーム３が低角度（約３０度以下）になると、上記カム部材３を介して上記スライダー５が下方にスライドし、上記テーパー内面１ｂ′によりスライダー５の圧入力が増加する。その結果、原稿圧着板の落下加速度が押さえられ、衝撃が緩和される。
【００１７】
上記テーパー面は、上記スライダー５の外面（ヒンジケース１のテーパー内面１ｂ′と接する面）にも形成してよい。また、上記テーパー面に代えて、あるいはテーパー面と一緒に、上記ヒンジケース１の内面や上記スライダー５の外面にリブや突起を設けて、上記スライダー５が下方にスライドした時に、圧入力が増加するように構成しても良い。
【００１８】
本発明では、ヒンジケースの少なくとも相対する１対の内面あるいはこれらの内面に接するスライダーの外面をテーパー面とするだけで、ヒンジケースやスライダーの形状寸法を大きく変更することなく、また、部品点数を増加させることなく、原稿圧着板の落下加速度を押さえて衝撃を効果的に緩和することができる。
【００１９】
また、上記回動アーム２を上記ヒンジケース１に回動自在に取り付ける構造であれば、上記ヒンジピン５による組み付け構成に限定するものではない。
さらに、上記回動アーム２を原稿圧着板と一体形成したり、上記カム部材３を上記回動アーム２と別体として形成し、一体的に組み付けるように構成してもよい。
【図面の簡単な説明】
【００２０】
【図１】本発明の原稿圧着板の開閉装置の側断面図である。
【図２】図１の装置の分解斜視図である。
【図３】図１のヒンジケースの斜視図である。
【図４】図１の装置の回動アームの約３０度の状態を示す説明図である。
【符号の説明】
【００２１】
１  ヒンジケース
１ａ  底壁
１ｂ  側壁
１ｂ′テーパー内面
１ｃ  ヒンジピン用挿通孔
２  回動アーム
２ａ  ヒンジピン用挿通孔
２ｂ  カム部
３  カム部材
４  ヒンジピン
５  スライダー
６  圧縮スプリング
【図１】
2010128251.tif 000003
【図２】
2010128251.tif 000004
【図３】
2010128251.tif 000005
【図４】
2010128251.tif 000006